(57)【要約】【課題】昼夜を問わずに害虫の誘引が可能であり、かつ、メンテナンス性に優れる害虫捕獲装置を提供すること。【解決手段】害虫捕獲装置５１では、夜から朝へと変化すると、水盤１を空にし、顔料が添加された溶液を水盤１に注入すると共に光源部４を消灯するか、蛍光材料が添加された溶液を水盤１に注入すると共に光源部４を点灯する。一方、昼から夜へと変化すると、水盤１を空にし、溶液を水盤１に注入すると共に光源部４を点灯する。【選択図】図４
2013247942.tif 000002
【特許請求の範囲】
【請求項１】
反射面からなる内面を有する水盤と、
上記水盤内に紫外光を発する光源と、
顔料が添加された溶液、蛍光材料が添加された溶液、または、顔料および蛍光材料が添加されていない溶液を上記水盤内に注入する注入部と、
夜から朝へ変化する第１の時点と、昼から夜に変化する第２の時点とをそれぞれ検出する検出部と、
上記検出部が上記第１の時点または上記第２の時点を検出したときに、上記水盤内の充填物を排出することによって、当該水盤内を空にする排出部と、
上記検出部が上記第１の時点を検出したとき、上記注入部に、上記顔料が添加された溶液を空の上記水盤内に注入させると共に上記光源を消灯するか、または、上記注入部に、上記蛍光材料が添加された溶液を空の上記水盤内に注入させると共に上記光源を点灯する第１の制御部と、
上記検出部が上記第２の時点を検出したとき、上記注入部に、上記顔料および上記蛍光材料が添加されていない溶液を空の上記水盤内に注入させると共に上記光源を点灯する第２の制御部とを備えていることを特徴とする害虫捕獲装置。
【請求項２】
現在の時刻の情報を取得する時間管理部をさらに備え、
上記検出部は、現在の時刻が第１の所定の時刻になったときを上記第１の時点として検出し、現在の時刻が上記第１の所定の時刻よりも遅い第２の所定の時刻になったときを上記第２の時点として検出し、
上記第１の制御部は、上記検出部が上記第１の時点を検出したとき、上記注入部に、上記蛍光材料が添加された溶液を空の上記水盤内に注入させると共に上記光源を点灯することを特徴とする請求項１に記載の害虫捕獲装置。
【請求項３】
上記検出部は、夜から晴天の朝へ変化する第３の時点、または、夜から曇天あるいは雨天の朝へ変化する第４の時点のときを上記第１の時点として検出し、晴天の昼または曇天あるいは雨天の昼から夜へ変化するときを上記第２の時点として検出し、
上記第１の制御部は、
上記検出部が上記第１の時点として上記第３の時点を検出したとき、上記注入部に、上記顔料が添加された溶液を空の上記水盤内に注入させると共に上記光源を消灯し、
上記検出部が上記第１の時点として上記第４の時点を検出したとき、上記注入部に、上記蛍光材料が添加された溶液を空の上記水盤内に注入させると共に上記光源を点灯することを特徴とする請求項１に記載の害虫捕獲装置。
【請求項４】
上記検出部は、第１の時点から第２の時点までの間に晴天から曇天あるいは雨天へ変化する第５の時点と、第１の時点から第２の時点までの間に曇天あるいは雨天から晴天へ変化する第６の時点とをそれぞれさらに検出し、
上記排出部は、上記検出部が上記第５の時点または上記第６の時点を検出したときにも、上記水盤内の充填物を排出することによって、当該水盤内を空にし、
上記第１の制御部は、
上記検出部が上記第５の時点を検出したとき、上記注入部に、上記蛍光材料が添加された溶液を空の上記水盤内に注入させると共に上記光源を点灯し、
上記検出部が上記第６の時点を検出したとき、上記注入部に、上記顔料が添加された溶液を空の上記水盤内に注入させると共に上記光源を消灯することを特徴とする請求項３に記載の害虫捕獲装置。
【請求項５】
周囲の照度を感知する照度センサをさらに備え、
上記検出部は、
上記照度センサが感知した現在の照度が、第１の所定値以上かつ第１の所定値よりも大きい第２の所定値未満の中間値、または、上記第２の所定値以上の高値であり、上記照度センサが感知した前回の照度が、上記第１の所定値未満の低値であると判定したときを上記第２の時点として検出し、
上記現在の照度が、上記低値であり、上記前回の照度が、上記高値であると判定したときを上記第３の時点として検出し、
上記現在の照度が、上記低値であり、上記前回の照度が、上記中間値であると判定したときを上記第４の時点として検出し、
上記現在の照度が、上記高値であり、上記前回の照度が、上記中間値であると判定したときを上記第５の時点として検出し、
上記現在の照度が、上記中間値であり、上記前回の照度が、上記高値であると判定したときを上記第６の時点として検出することを特徴とする請求項４に記載の害虫捕獲装置。
【請求項６】
周囲の照度を感知する照度センサと、
所定の時間の間に、上記照度センサが感知した上記照度の平均照度を算出する算出部とをさらに備え、
上記検出部は、
上記算出部が算出した現在の平均照度が、第１の所定値以上かつ上記第１の所定値よりも大きい第２の所定値未満の中間値、または、上記第２の所定値以上の高値であり、上記算出部が算出した前回の平均照度が、上記第１の所定値未満の低値であると判定したときを上記第２の時点として検出し、
上記現在の平均照度が、上記低値であり、上記前回の平均照度が、上記高値であると判定したときを上記第３の時点として検出し、
上記現在の平均照度が、上記低値であり、上記前回の平均照度が、上記中間値であると判定したときを上記第４の時点として検出し、
上記現在の平均照度が、上記高値であり、上記前回の平均照度が、上記中間値であると判定したときを上記第５の時点として検出し、
上記現在の平均照度が、上記中間値であり、上記前回の平均照度が、上記高値であると判定したときを上記第６の時点として検出することを特徴とする請求項４に記載の害虫捕獲装置。
【請求項７】
上記蛍光材料は、紫外光によって励起して黄色光あるいは青色光を発する蛍光材料であることを特徴とする請求項１〜６のいずれか１項に記載の害虫捕獲装置。
【請求項８】
上記黄色光を発する蛍光材料は、５３５ｎｍ以上５８０ｎｍ以下の発光波長を有することを特徴とする請求項７に記載の害虫捕獲装置。
【請求項９】
上記青色光を発する蛍光材料は、４４０ｎｍ以上４８０ｎｍ以下の発光波長を有することを特徴とする請求項７に記載の害虫捕獲装置。
【請求項１０】
上記顔料は、黄色または青色の顔料であることを特徴とする請求項１〜９のいずれか１項に記載の害虫捕獲装置。
【請求項１１】
上記注入部は、顔料および界面活性剤が添加された溶液、蛍光材料および界面活性剤が添加された溶液、または、顔料および蛍光材料が添加されておらずかつ界面活性剤が添加された溶液を上記水盤内に注入することを特徴とする請求項１〜１０のいずれか１項に記載の害虫捕獲装置。
【請求項１２】
上記光源は、波長３００ｎｍ以上４００ｎｍ以下にピークを有する紫外光を発することを特徴とする請求項１〜１１のいずれか１項に記載の害虫捕獲装置。
【請求項１３】
上記光源は、波長３４０ｎｍ以上３８０ｎｍ以下にピークを有する紫外光を発することを特徴とする請求項１２に記載の害虫捕獲装置。
【請求項１４】
反射面からなる内面を有する水盤と、上記水盤内に紫外光を発する光源とを備えた害虫捕獲装置の害虫捕獲方法であって、
夜から朝へ変化する第１の時点と、昼から夜に変化する第２の時点とをそれぞれ検出する検出ステップと、
上記検出ステップにおいて上記第１の時点または上記第２の時点を検出したときに、上記水盤内の充填物を排出することによって、当該水盤内を空にする排出ステップと、
上記検出ステップにおいて上記第１の時点を検出したとき、上記排出ステップ後に、顔料が添加された溶液を空の上記水盤内に注入すると共に上記光源を消灯するか、または、蛍光材料が添加された溶液を空の上記水盤内に注入すると共に上記光源を点灯する第１の注入ステップと、
上記検出ステップにおいて上記第２の時点を検出したとき、上記排出ステップ後に、上記顔料および上記蛍光材料が添加されていない溶液を空の上記水盤内に注入し、かつ、上記光源を点灯する第２の注入ステップとを含むことを特徴とする害虫捕獲方法。
【発明の詳細な説明】
【技術分野】
【０００１】
本発明は、誘引光を利用した害虫捕獲装置および害虫捕獲方法に関し、より詳細には、紫外光および紫外光によって励起された蛍光を利用した害虫捕獲装置および害虫捕獲方法に関する。
【背景技術】
【０００２】
近年、食の安全および安心の観点から、露地栽培およびハウス栽培等においても無農薬あるいは減農薬での植物栽培が注目されている。しかし、害虫を発生させない技術が確立されたわけではなく、農薬以外の方法を用いて害虫の発生を防除し、被害の拡大を防ぐことが取り分け重要である。
【０００３】
防除方法の１つとして、昆虫類の多くが光に誘引されることを利用した方法が実用されている。例えば、太陽光を反射する黄色または青色等の粘着シートを利用して害虫を誘引し、粘着シートに粘着させたり、あるいは内壁を黄色または青色等に着色し、その中に水を張った水盤を利用して害虫を誘引し、水盤内に落下させて死滅させたりして、害虫を防除する。
【０００４】
このような太陽光を利用する方法では、天候が悪い時あるいは夕暮れ時には効果が落ちてしまう。また、夜間には誘引効果がないという問題がある。さらに、害虫が誘引される色に応じて、粘着シートおよび水盤の交換が必要となる。それと共に、害虫を捕獲する度に粘着シートの粘着面積が減少したり、水盤の水面に害虫（死骸）が浮くと水面に害虫の足場ができてしまったりして害虫の捕獲効率が落ちてしまう。特に粘着シートの場合は、作業者の手あるいは髪の毛等と接触すると作業性が低下してしまうし、栽培物に接触すると栽培物にダメージを与えてしまう虞があり、栽培物との距離を考慮して粘着シートおよび水盤を設置する必要がある。また、害虫がいない時には、粘着シートおよび水盤が逆に外部から害虫を誘引してしまう虞があるため、粘着シートおよび水盤を撤去する必要がある。
【０００５】
そこで、光を利用する他の方法として、紫外光（ＵＶ−Ａ）ランプからの紫外光を用いて害虫を誘引し、誘引した害虫を粘着シートに粘着させて捕獲したり、高電圧に触れさせて死滅させたりして、害虫を防除する方法がある。このような紫外光を利用した方法は広く普及しつつある。
【０００６】
しかしながら、太陽光を利用する栽培環境下では、太陽光から照射される紫外光（ＵＶ−Ａ）が強く、特に晴天時の昼間は太陽光から照射される紫外光（ＵＶ−Ａ）が強いため、紫外光（ＵＶ−Ａ）ランプによる誘引効率が著しく低下してしまう。
【０００７】
そこで、特許文献１では、紫外光によって励起した蛍光を用いて害虫を誘引する工夫がなされている。具体的には、紫外光ランプから紫外光を正面ならびに害虫捕獲装置の蛍光板内に放射して、紫外光または紫外光によって励起された蛍光を発する。外部に発せられた紫外光または蛍光は、害虫を誘引し、害虫を粘着シートで捕獲する。
【先行技術文献】
【特許文献】
【０００８】
【特許文献１】特開２０１２−１９７５９号公報（２０１２年２月２日公開）
【発明の概要】
【発明が解決しようとする課題】
【０００９】
しかしながら、特許文献１に開示されている害虫捕獲装置では種々の問題がある。具体的には、蛍光の発光波長を切り換えるためには、蛍光板の交換作業が必要となり手間がかかり、メンテナンス性が悪い。逆に、交換作業を実施しない限り、同一の発光波長の蛍光を昼夜使い続けることになってしまう。例えば、紫外光は、昼間は太陽光と比較して相対的に輝度が低いため、害虫を誘引できないが、夜間は夜蛾類およびカメムシ類等を誘引できる。逆に青色光は、昼間にアザミウマ類等を誘引でき、黄色光は、昼間にコナジラミ類、ハエ類、ウンカ類、アブラムシ類、およびコナガ類等を誘引できるが、いずれも夜間に誘引できる夜行性害虫は知られていない。この点に鑑みると、同一の発光波長の蛍光を昼夜使い続けることは現実的ではなく、昼間は可視光域の光を使い、夜間は紫外光を使うことができる害虫捕獲装置が理想的である。
【００１０】
そこで、本発明は上記の課題に鑑みてなされたものであり、その目的は、昼夜を問わずに害虫の誘引が可能であり、かつ、メンテナンス性に優れる害虫捕獲装置および害虫捕獲方法を提供することにある。
【課題を解決するための手段】
【００１１】
本発明の一態様に係る害虫捕獲装置は、上記の課題を解決するために、反射面からなる内面を有する水盤と、上記水盤内に紫外光を発する光源と、顔料が添加された溶液、蛍光材料が添加された溶液、または、顔料および蛍光材料が添加されていない溶液を上記水盤内に注入する注入部と、夜から朝へ変化する第１の時点と、昼から夜に変化する第２の時点とをそれぞれ検出する検出部と、上記検出部が上記第１の時点または上記第２の時点を検出したときに、上記水盤内の充填物を排出することによって、当該水盤内を空にする排出部と、上記検出部が上記第１の時点を検出したとき、上記注入部に、上記顔料が添加された溶液を空の上記水盤内に注入させると共に上記光源を消灯するか、または、上記注入部に、上記蛍光材料が添加された溶液を空の上記水盤内に注入させると共に上記光源を点灯する第１の制御部と、上記検出部が上記第２の時点を検出したとき、上記注入部に、上記顔料および上記蛍光材料が添加されていない溶液を空の上記水盤内に注入させると共に上記光源を点灯する第２の制御部とを備えていることを特徴としている。
【００１２】
また、本発明の一態様に係る害虫捕獲方法は、上記の課題を解決するために、反射面からなる内面を有する水盤と、上記水盤内に紫外光を発する光源とを備えた害虫捕獲装置の害虫捕獲方法であって、夜から朝へ変化する第１の時点と、昼から夜に変化する第２の時点とをそれぞれ検出する検出ステップと、上記検出ステップにおいて上記第１の時点または上記第２の時点を検出したときに、上記水盤内の充填物を排出することによって、当該水盤内を空にする排出ステップと、上記検出ステップにおいて上記第１の時点を検出したとき、上記排出ステップ後に、顔料が添加された溶液を空の上記水盤内に注入すると共に上記光源を消灯するか、または、蛍光材料が添加された溶液を空の上記水盤内に注入すると共に上記光源を点灯する第１の注入ステップと、上記検出ステップにおいて上記第２の時点を検出したとき、上記排出ステップ後に、上記顔料および上記蛍光材料が添加されていない溶液を空の上記水盤内に注入し、かつ、上記光源を点灯する第２の注入ステップとを含むことを特徴としている。
【００１３】
上記の構成によれば、水盤内の充填物を、夜から朝へ変化する第１の時点と、昼から夜に変化する第２の時点とにおいて入れ替えることによって、昼間には可視光域の光を放射し、夜間には紫外光域の光を放射することができる。これにより、昼行性の害虫も夜行性の害虫も同じ害虫捕獲装置で捕獲することが可能となる。特に、制御部によって水盤内の充填物を適宜入れ替えるだけで水盤から照射される光の発光波長を変更することができるので、メンテナンス性に優れている。さらに、予め使用する顔料または蛍光材料を用意しておけば、水盤内の顔料または蛍光材料を別の顔料または蛍光材料に容易に入れ替えることができる。したがって、害虫が誘引される光の色が異なっていても、それぞれの害虫に応じた対応が可能となる。特に本発明の一態様に係る害虫捕獲装置では、農業においては必須かつ安価な材料である水を上記の溶液として利用すれば、害虫の誘引および捕獲、ならびに発光波長の変更が極めて実用的である。
【００１４】
昼から夜または夜から朝に移る際には、水盤内の充填物を廃棄して水盤を空にし、新たな充填物を水盤に注入している。したがって、昼から夜または夜から朝に移る度に害虫の死骸や落ち葉等のゴミ類を回収することができる。このように、水盤内の充填物を排出する度にゴミ類も一緒に排出することができるため、害虫の捕獲率を初期の状態に毎度戻すことができる。特に従来の粘着シートを用いる方法では、害虫を捕獲した後は粘着シートを１枚ずつ剥がす作業が必要であり、手間がかかりメンテナンス性が悪かった。しかし、本発明の一態様に係る害虫捕獲装置では、水盤内の充填物を制御部によって自動的に排出することができるため、容易に捕獲率を初期の状態に戻すことができ、メンテナンス性に優れている。
【００１５】
また、本発明の一態様に係る害虫捕獲装置においては、現在の時刻の情報を取得する時間管理部をさらに備え、上記検出部は、現在の時刻が第１の所定の時刻になったときを上記第１の時点として検出し、現在の時刻が上記第１の所定の時刻よりも遅い第２の所定の時刻になったときを上記第２の時点として検出し、上記第１の制御部は、上記検出部が上記第１の時点を検出したとき、上記注入部に、上記蛍光材料が添加された溶液を空の上記水盤内に注入させると共に上記光源を点灯することを特徴としている。
【００１６】
上記の構成によれば、水盤の内部に注入される充填物を、時刻に応じて入れ替えることができる。したがって、使用者が定めた第１の所定の時刻および第２の所定の時刻をもって、所望の時間帯を昼間と夜間とに設定することができる。
【００１７】
また、本発明の一態様に係る害虫捕獲装置においては、上記検出部は、夜から晴天の朝へ変化する第３の時点、または、夜から曇天あるいは雨天の朝へ変化する第４の時点のときを上記第１の時点として検出し、晴天の昼または曇天あるいは雨天の昼から夜へ変化するときを上記第２の時点として検出し、上記第１の制御部は、上記検出部が上記第１の時点として上記第３の時点を検出したとき、上記注入部に、上記顔料が添加された溶液を空の上記水盤内に注入させると共に上記光源を消灯し、上記検出部が上記第１の時点として上記第４の時点を検出したとき、上記注入部に、上記蛍光材料が添加された溶液を空の上記水盤内に注入させると共に上記光源を点灯することを特徴としている。
【００１８】
上記の構成によれば、夜から晴天の朝に変化する場合、太陽光の照射が強いため、当該太陽光に含まれる紫外光を利用して誘引光を発している。この場合、安価である顔料を用い、光源を消灯しているため、害虫捕獲装置のランニングコストを抑えることができる。
【００１９】
また、本発明の一態様に係る害虫捕獲装置においては、上記検出部は、第１の時点から第２の時点までの間に晴天から曇天あるいは雨天へ変化する第５の時点と、第１の時点から第２の時点までの間に曇天あるいは雨天から晴天へ変化する第６の時点とをそれぞれさらに検出し、上記排出部は、上記検出部が上記第５の時点または上記第６の時点を検出したときにも、上記水盤内の充填物を排出することによって、当該水盤内を空にし、上記第１の制御部は、上記検出部が上記第５の時点を検出したとき、上記注入部に、上記蛍光材料が添加された溶液を空の上記水盤内に注入させると共に上記光源を点灯し、上記検出部が上記第６の時点を検出したとき、上記注入部に、上記顔料が添加された溶液を空の上記水盤内に注入させると共に上記光源を消灯することを特徴としている。
【００２０】
上記の構成によれば、昼間であっても晴天時あるいは曇天時や雨天時に応じて水盤の内部に注入される充填物を入れ替えている。特に昼間の晴天時には太陽光の照射が強いため、当該太陽光に含まれる紫外光を利用して誘引光を発している。この場合、安価である顔料を用い、光源を消灯しているため、害虫捕獲装置のランニングコストを抑えることができる。
【００２１】
また、本発明の一態様に係る害虫捕獲装置においては、周囲の照度を感知する照度センサをさらに備え、上記検出部は、上記照度センサが感知した現在の照度が、第１の所定値以上かつ上記第１の照度よりも大きい第２の所定値未満の中間値、または、上記第２の所定値以上の高値であり、上記照度センサが感知した前回の照度が、上記第１の所定値未満の低値であった場合を上記第２の時点として検出し、上記現在の照度が、上記低値であり、上記前回の照度が、上記高値であった場合を上記第３の時点として検出し、上記現在の照度が、上記低値であり、上記前回の照度が、上記中間値であった場合を上記第４の時点として検出し、上記現在の照度が、上記高値であり、上記前回の照度が、上記中間値であった場合を上記第５の時点として検出し、上記現在の照度が、上記中間値であり、上記前回の照度が、上記高値であった場合を上記第６の時点として検出することを特徴としている。
【００２２】
上記の構成によれば、水盤の内部に注入される充填物を、照度に応じて入れ替えることができる。具体的には、照度が高値の時は晴天が想定され、中間値の時は曇天や雨天が想定され、低値の時は夜が想定される。そこで、本発明の一態様に係る害虫捕獲装置では、昼間の晴天時には太陽光の照射が強いため、当該太陽光に含まれる紫外光を利用して誘引光を発している。この場合、安価である顔料を用い、光源を消灯しているため、害虫捕獲装置のランニングコストを抑えることができる。
【００２３】
また、本発明の一態様に係る害虫捕獲装置においては、周囲の照度を感知する照度センサと、所定の時間の間に、上記照度センサが感知した上記照度の平均照度を算出する算出部とをさらに備え、上記検出部は、上記算出部が算出した現在の平均照度が、第１の所定値以上かつ上記第１の所定値よりも大きい第２の所定値未満の中間値、または、上記第２の所定値以上の高値であり、上記算出部が算出した前回の平均照度が、上記第１の所定値未満の低値であった場合を上記第２の時点として検出し、上記現在の平均照度が、上記低値であり、上記前回の平均照度が、上記高値であった場合を上記第３の時点として検出し、上記現在の平均照度が、上記低値であり、上記前回の平均照度が、上記中間値であった場合を上記第４の時点として検出し、上記現在の平均照度が、上記高値であり、上記前回の平均照度が、上記中間値であった場合を上記第５の時点として検出し、上記現在の平均照度が、上記中間値であり、上記前回の平均照度が、上記高値であった場合を上記第６の時点として検出することを特徴としている。
【００２４】
照度センサが感知した照度に応じて水盤内の充填物を入れ替えると、照度が変化した度に水盤内の充填物を入れ替える必要があり、充填物の入れ替えが頻繁に生じる可能性もある。この場合、顔料および蛍光材料の消費が進むため、却って害虫捕獲装置のランニングコストが高くなる虞がある。そこで、上記の構成によれば、一定時間の間に照度センサが感知した照度の平均照度に応じて水盤内の充填物を入れ替えているので、上記の問題を防ぐことができる。
【００２５】
また、本発明の一態様に係る害虫捕獲装置においては、上記蛍光材料は、紫外光によって励起して黄色光あるいは青色光を発する蛍光材料であることが好ましい。
【００２６】
また、本発明の一態様に係る害虫捕獲装置においては、上記黄色光を発する蛍光材料は、５３５ｎｍ以上５８０ｎｍ以下の発光波長を有し、上記青色光を発する蛍光材料は、４４０ｎｍ以上４８０ｎｍ以下の発光波長を有することが好ましい。
【００２７】
上記の構成によれば、昼行性の害虫が好む黄色光または青色光を発することによって、昼行性の害虫を誘引し、捕獲することができる。
【００２８】
また、本発明の一態様に係る害虫捕獲装置においては、上記顔料は、黄色または青色の顔料であることが好ましい。
【００２９】
上記の構成によれば、昼行性の害虫が好む黄色または青色に水盤内の溶液を着色することによって、太陽光に含まれる紫外光が水盤内に入射して、着色された溶液の水面で反射されて黄色または青色の光となって水盤内全体から放射される。これによって、昼行性の害虫を誘引し、捕獲することができる。
【００３０】
また、本発明の一態様に係る害虫捕獲装置においては、上記注入部は、顔料および界面活性剤が添加された溶液、蛍光材料および界面活性剤が添加された溶液、または、顔料および蛍光材料が添加されておらずかつ界面活性剤が添加された溶液を上記水盤内に注入することを特徴としている。
【００３１】
害虫は一般的に体表面に油膜を形成している場合が多く、水盤の水面に降り立ち、再び飛び立つことができる場合がある。そこで、上記の構成によれば、界面活性剤によって水面に降り立った害虫の油分を除去できるため、害虫をより溺死させやすい。
【００３２】
また、本発明の一態様に係る害虫捕獲装置においては、上記光源は、波長３００ｎｍ以上４００ｎｍ以下にピークを有する紫外光を発することが好ましい。
【００３３】
また、本発明の一態様に係る害虫捕獲装置においては、上記光源は、波長３４０ｎｍ以上３８０ｎｍ以下にピークを有する紫外光を発することがさらに好ましい。
【００３４】
上記の構成によれば、夜行性の害虫が好む紫外光を発することによって、夜行性の害虫を誘引し、捕獲することができる。
【発明の効果】
【００３５】
本発明の一態様によれば、水盤内の充填物を夜から朝へ変化する第１の時点と、昼から夜に変化する第２の時点とにおいて入れ替えることによって、昼間には可視光域の光を放射し、夜間には紫外光域の光を放射することができる。これにより、昼行性の害虫も夜行性の害虫も同じ害虫捕獲装置で捕獲することが可能となる。特に、制御部によって水盤内の充填物を適宜入れ替えるだけで水盤から照射される光の発光波長を変更することができるので、メンテナンス性に優れている。
【図面の簡単な説明】
【００３６】
【図１】本発明の一実施形態に係る害虫捕獲装置の要部構成を示す図である。
【図２】昼間および夜間に応じた充填物が注入されている本発明の一実施形態に係る水盤を示す図であり、（ａ）および（ｂ）は、昼間の水盤の内部を示しており、（ｃ）は、夜間の水盤の内部を示している。
【図３】本発明の一実施形態に係る害虫捕獲方法の流れを示すフロー図である。
【図４】昼間における、本発明の一実施形態に係る害虫捕獲方法の流れ示すフロー図である。
【図５】夜間における、本発明の一実施形態に係る害虫捕獲方法の流れを示すフロー図である。
【図６】本発明の他の実施形態に係る害虫捕獲装置の要部構成を示す図である。
【図７】昼間および夜間に応じた充填物が注入されている本発明の他の実施形態に係る水盤を示す図であり、（ａ）は、昼間の晴天時の水盤の内部を示しており、（ｂ）および（ｃ）は、昼間の曇天時や雨天時の水盤の内部を示しており、（ｄ）は、夜間の水盤の内部を示している。
【図８】本発明の他の実施形態に係る害虫捕獲方法の流れを示すフロー図である。
【図９】晴天になった時における、本発明の他の実施形態に係る害虫捕獲方法の流れを示すフロー図である。
【図１０】曇天や雨天になった時における、本発明の他の実施形態に係る害虫捕獲方法の流れを示すフロー図である。
【図１１】夜になった時における、本発明の他の実施形態に係る害虫捕獲方法の流れを示すフロー図である。
【発明を実施するための形態】
【００３７】
本発明を以下の実施の形態により詳細に説明する。なお、以下の説明においては、同一の機能および作用を示す部材については、同一の符号を付し、説明を省略する。
【００３８】
〔第１の実施形態〕
（害虫捕獲装置の構成）
本発明の第１の実施形態に係る害虫捕獲装置は、水等の液体物を張った水盤を利用して利用して害虫を誘引し、水盤内に落下させて死滅させて害虫を防除する装置である。害虫捕獲装置の具体的な構成について、図１を参照して説明する。図１は、本実施形態に係る害虫捕獲装置５０の要部構成を示す図である。
【００３９】
図１に示すように、害虫捕獲装置５０は、水盤１、注入用配管２（注入部）、光源部４、反射部５、界面活性剤用タンク６、蛍光材料Ａ用タンク８、蛍光材料Ｂ用タンク１０、排出用配管１２（排出部）、制御装置１７（第１および第２の制御部、検出部）、および時間管理部３１を有している。光源部４は紫外光（ＵＶ−Ａ）を発する光源であり、水盤１の内部に配置されている。また、水盤１の内面には反射部５が形成されており、水盤１の内面は反射面となっている。なお、本実施形態は必ずしもこれに限定されるわけではなく、水盤１の底面に窓を設ける等、底面を透明な素材で構成して、水盤１の外部に設けられた光源部４から水盤１内に紫外光を照射する構成も可能である。
【００４０】
水盤１には注入用配管２によって充填物が注入される。注入用配管２は水盤への充填物を導くための配管となっており、注入用配管２には外部から水等の溶液が注入されている。さらに注入用配管２には、界面活性剤用タンク６、蛍光材料Ａ用タンク８、および蛍光材料Ｂ用タンク１０がそれぞれ電磁弁７、電磁弁９、および電磁弁１１を介して接続されている。各電磁弁７，９，１１が開閉することによって、注入用配管２へのタンクの内容物の注入および注入量の調整を行っている。注入用配管２も電磁弁３を介して水盤１に接続されており、電磁弁３が開閉することによって、水盤１への注入用配管２の内容物の注入および注入量の調整を行っている。
【００４１】
排出用配管１２は水盤１内の充填物を排出するための配管であり、電磁弁１３を介して水盤１に接続されている。この電磁弁１３が開閉することによって、排出用配管１２への水盤１内の充填物の排出および排出量の調整を行っている。排出用配管１２にはストレーナ部１４が設けられており、ステレーナ部１４によって排水中のゴミ（害虫の死骸等）を分離している。
【００４２】
水盤１には２つの水位センサ１５，１６が設けられている。水位センサ１５は水盤１の上部に設けられており、水盤１内の水位が所定の位置に達したこと（すなわち、水盤１が満杯になったこと）を検知する。一方、水位センサ１６は水盤１の下部に設けられており、水盤１内の水位が所定の位置まで下がったこと（すなわち、水盤１が空になったこと）を検知する。
【００４３】
上記の電磁弁３，７，９，１１，１３、水位センサ１５，１６、および光源部４は、制御装置１７に接続されている。また、制御装置１７は現在の時刻の情報を取得する時間管理部３１を有している。この制御装置１７には、水位センサ１５，１６が感知した情報が送られ、制御装置はその情報ならびに時間管理部３１が取得した時刻の情報に基づいて電磁弁３，７，９，１１，１３の開閉を制御している。
【００４４】
（各種部材の詳細）
以下に、各種部材について詳細に述べる。
【００４５】
［水盤１］
水盤１は、充填物が漏れないような材料で形成されていればよく、特に限定はないが、錆びない材料で形成されていることが好ましい。例えば、ステンレス性の材料、または各種プラスチック類等が挙げられる。
【００４６】
また、水盤１としては、例えば半球形の水盤を用いることができるが、特に限定はない。例えば、半球形の水盤の底部を平面にしたものを用いてもよい。これによれば、基板に実装することが多いＬＥＤを光源部４として用いる場合、水盤の底面全体にＬＥＤの実装基板を設置することが可能となる。この場合は、水盤１の内壁面のみに鏡面仕上げ等といった高反射率が得られる加工を施せばよい。さらに半球形の水盤の害虫捕獲面積を大きくしようとすると、自ずと水盤の深さが増加してしまうが、この形状であれば、水盤を底面の半径方向に大きくすれば、水盤の深さを変えずに害虫捕獲面積を容易に大きくすることができる。
【００４７】
あるいは、光透過性の第１の水盤（例えば、ガラスおよびアクリル等）であって、水盤の底部が平面である第１の水盤と、内面が反射面である第２の水盤（例えば、鏡面仕上げ等を施したアルミ等）であって、水盤の底部が平面である第２の水盤とを用いてもよい。この場合、第１の水盤は第２の水盤内に配置され、スペーサ等を利用して第１の水盤と第２の水盤との間に隙間を形成する。これによれば、第１の水盤と第２の水盤との間に形成された隙間に、ＬＥＤの実装基板を設置することができる。さらに液体が充填された水盤内に光源部４を設置する場合は光源部４に対して防水処理を施す必要があったが、この構成であれば、光源部４に対する防水処理は不要である。
【００４８】
［光源部４］
光源部４は、波長３００ｎｍ以上４００ｎｍ以下にピークを有する紫外光を発する光源であることが好ましく、さらには波長３４０ｎｍ以上３８０ｎｍ以下にピークを有する紫外光を発する光源であることがより好ましい。このような光源としては、例えば紫外線蛍光ランプ、あるいは紫外線ＬＥＤを複数繋げたものが挙げられる。なお、光源部４は水中にあるため、光源部４の電源部には防水処理を施していることが好ましい。
【００４９】
［反射部５］
反射部５は、光源部４から発せられる紫外光を反射できる材料であり、かつ、耐水性のある材料であればよく、特に限定はない。例えば、アルミニウム等が利用できる。また、効率のよい反射を得るためには、反射面が十分に滑らかであることが好ましく、例えばアルミニウムの鏡面仕様（Ａ１０５０）がより好ましい。
【００５０】
［界面活性剤］
界面活性剤は、害虫の持つ油分を除去できるものであればよく、特に限定はない。例えば、陰イオン界面活性剤あるいは非イオン界面活性剤等が利用できる。
【００５１】
［蛍光材料］
蛍光材料としては、害虫を誘引する所定の色を蛍光するものであればよく、特に限定はない。例えば、黄色光を発する蛍光材料は、波長５３５ｎｍ以上５８０ｎｍ以下の光を発する蛍光材料であることが好ましい。具体的には、ＨＡＲＩＭＡ社製の「ＹＥＬＬＯＷ５３５」が挙げられ、本製品は波長３９８ｎｍの光を励起光として波長５３７ｎｍにピークを有する黄色光を発する。また、青色光を発する蛍光材料は、波長４４０ｎｍ以上４８０ｎｍ以下の光を発する蛍光材料であることが好ましい。具体的には、フナコシ社製の「ＡＭＡＣ−ＭＡＸ」あるいはＢＤ社製の「Ｈｏｅｃｈｓｔ３３３４２」等が挙げられる。なお、蛍光材料は上記のもの限定されるものではなく、光源部４から発せられる紫外光の発光ピークに合わせて適宜選択すればよい。
【００５２】
（昼間の充填物）
水盤１の内部に注入される充填物は、時刻（昼間および夜間）に応じて異なる。例えば、午前６時〜午後６時を昼間とし、午後６時〜次の日の午前６時を夜間とした場合、夜から朝に変化する第１の時点（すなわち、午前６時）および昼から夜に変化する第２の時点（すなわち、午後６時）で水盤１内の充填物を一度廃棄し、昼間および夜間に応じた新たな充填物を水盤１内に注入するように制御装置１７は制御している。
【００５３】
具体的には、昼間および夜間に応じた充填物が注入されている水盤１を図２に示す。図２の（ａ）および（ｂ）は、昼間の水盤１の内部を示しており、（ｃ）は、夜間の水盤１の内部を示している。
【００５４】
昼間には、図２の（ａ）および（ｂ）に示すように、注入用配管２からは外部から注入された溶液と、界面活性剤用タンク６から注入された界面活性剤との混合液２５が水盤１内に注入され、さらにそこに蛍光材料Ａまたは蛍光材料Ｂがそれぞれ蛍光材料Ａ用タンク８または蛍光材料Ｂ用タンク１０から注入される。本図では、蛍光材料Ａを部材番号２３で示しており、蛍光材料Ｂを部材番号２４で示している。蛍光材料Ａおよび蛍光材料Ｂには、アブラムシ類、コナジラミ類、およびアザミウム類等の昼行性の害虫が好む色を発する蛍光材料を用いればよく、例えば蛍光材料Ａは、紫外光によって励起して黄色光を発する蛍光材料であり、蛍光材料Ｂは、紫外光によって励起して青色光を発する蛍光材料である。光源部４から水盤１内で発せられた紫外光１８は水中を伝播し、蛍光材料Ａまたは蛍光材料Ｂを励起して黄色光または青色光（誘引光３０）が発せられる。励起して発せられた誘引光３０は、水面から直接放射されたり、反射部５によって反射されて水面から放射されたりすることによって、水盤１内全体から放射される。この水盤１内全体から放射された誘引光３０に誘引された害虫は、水盤１内の水中に飛び込み溺死する。このようにして、害虫を誘引光３０によって誘引し、捕殺する。
【００５５】
昼間においては、太陽光と比較して光源部４からの紫外光は相対的に輝度が低いため、光源部４からの紫外光をだけでは害虫を誘引できない。そこで、本実施形態に係る害虫捕獲装置５０では、蛍光材料Ａまたは蛍光材料Ｂを紫外光によって励起させて誘引光３０となる所望の可視光を発している。そのため、太陽光の輝度が相対的に高い昼間においても、十分に害虫を捕獲することが可能となる。この際、水盤１の水面近くにある蛍光材料Ａまたは蛍光材料Ｂは、太陽光に含まれる紫外光１９によっても励起するため、より鮮やかな黄色または青色となる。したがって、害虫捕獲装置５０では、太陽光の照射が弱い曇天、雨天、あるいは夕方においても光源部４からの紫外光１８によって誘引光３０を十分に照射することはできるが、晴天においてはより鮮やかな誘引光３０を照射できるため、害虫の捕獲率が向上する。
【００５６】
ところで、水盤１内に注入する蛍光材料としては、捕獲する害虫に応じて蛍光材料Ａおよび蛍光材料Ｂを使い分ければよい。具体的には、黄色を好む昼行性の害虫は、コナジラミ類、アザミウマ類、ハエ類、ウンカ類、アブラムシ類、およびコナガ類等である。また、青色を好む昼行性の害虫は、アザミウマ類等であり、特にミナミキイロアザミウマおよびヒラズハナアザミウマは、黄色よりも青色に誘引される。
【００５７】
本実施形態に係る害虫捕獲装置５０のように、水盤１内には界面活性剤を注入することが好ましい。これは、害虫は一般的に体表面に油膜を形成している場合が多く、水盤１の水面に降り立ち、再び飛び立つことができるためである。界面活性剤によって水面に降り立った害虫の油分を除去できるため、害虫をより溺死させやすい。
【００５８】
（夜間の充填物）
昼から夜に移る際には、水盤１の電磁弁１３を開けて水盤１内の充填物を廃棄して水盤１を空にする。この際、ストレーナ部１４によって害虫の死骸や落ち葉等のゴミ類を回収することができる。そのため、水盤１にゴミが浮いて害虫の誘引および捕獲の能力が落ちることがない。
【００５９】
夜間には、図２の（ｃ）に示すように、空にした水盤１内に、注入用配管２からは外部から注入された溶液と、界面活性剤用タンク６から注入された界面活性剤との混合液２５が水盤１内に注入される。光源部４から水盤１内で発せられた紫外光１８は水中を伝播し、水面から直接放射されたり、反射部５によって反射されて水面から放射されたりすることによって、水盤１内全体から誘引光３０として放射される。この水盤１内全体から放射された誘引光３０に誘引された害虫は、水盤１内の水中に飛び込み溺死する。このようにして、害虫を誘引光３０によって誘引し、捕殺する。
【００６０】
夜間には紫外光１８を誘引光３０として放射することによって、蛾類、ヨトウ類、カメムシ類、およびハエ類等、紫外光に誘引される夜行性の害虫を捕獲することができる。このように、水盤１内の充填物を夜から朝へ変化する第１の時点と、昼から夜に変化する第２の時点とにおいて入れ替えることによって、昼間には可視光域の光を放射し、夜間には紫外光域の光を放射することができる。これにより、昼行性の害虫も夜行性の害虫も同じ害虫捕獲装置５０で捕獲することが可能となる。例えば、昼夜防除が必要な例としては、ハモグリバエとヨトウ類とが同時に発生した場合が挙げられる。昼行性害虫であるハモグリバエと夜行性害虫であるヨトウ類とが発生した場合、それらの幼虫により食害が発生するため、成虫の早期の防除が必要となる。害虫捕獲装置５０では、昼間にはハモグリバエの誘引手段として黄色の誘引光３０を発し、夜間にはヨトウ類の誘引手段として紫外光を誘引光３０として発することによって、ハモグリバエおよびヨトウ類のいずれも捕獲可能である。このような昼行性害虫および夜行性害虫の被害を同時に受ける植物としては、野菜類ではトマト、キュウリ、ナス、レタス、ネギ、およびホウレンソウ等がある。また、花卉類ではキク、スイートピー、ダリア、およびキンセンカ等がある。また、ハモグリバエは黄色光に誘引されるだけでなく、紫外光にも走行性を持つ。そのため、ハモグリバエを捕獲する場合、夜間には紫外光を誘引光３０として発することによって、ハモグリバエの捕獲が可能となり、捕獲率の向上が期待される。これはホウレンソウ等の長日植物の生産時には好適である。その理由は、ホウレンソウ等の長日植物では、花芽分化は長日によって誘起されるため、夜間に黄色光（特に赤色に近い光）を点灯させておくと、抽台してホウレンソウの商品としての価値を失う虞があるためである。
【００６１】
特に、制御装置１７によって電磁弁３，７，９，１１，１３の開閉を制御するだけで水盤１内の充填物を適宜入れ替えることができるので、入替作業が非常に容易であり、メンテナンス性に優れている。さらに、予め使用する蛍光材料を入れたタンクを用意しておけば、水盤１内の蛍光材料を別の蛍光材料に容易に入れ替えることができる。したがって、害虫が誘引される光の色が異なっていても、それぞれの害虫に応じた対応が可能となる。特に本実施形態に係る害虫捕獲装置５０では、農業においては必須かつ安価な材料である水を上記の溶液として利用すれば、害虫の誘引および捕獲、ならびに発光波長の変更が極めて実用的である。
【００６２】
夜から朝に移る際には、再び水盤１の電磁弁１３を開けて水盤１内の充填物を廃棄して水盤１を空にし、蛍光材料Ａおよび蛍光材料Ｂのいずれかを混合液２５と共に水盤１に注入する。したがって、夜から朝に移る際にもストレーナ部１４によって害虫の死骸や落ち葉等のゴミ類を回収することができる。このように、水盤１内の充填物を排出する度にゴミ類も一緒に排出することができるため、害虫の捕獲率を初期の状態に毎度戻すことができる。特に従来の粘着シートを用いる方法では、害虫を捕獲した後は粘着シートを１枚ずつ剥がす作業が必要であり、手間がかかりメンテナンス性が悪かった。しかし、本実施形態に係る害虫捕獲装置５０では、水盤１内の充填物を制御装置１７によって自動的に排出することができるため、容易に捕獲率を初期の状態に戻すことができ、メンテナンス性に優れている。
【００６３】
なお、圃場内に害虫がいない時には制御装置１７が光源部４を消灯し、水盤１内の充填物を排出することによって、水盤１からの誘引光３０が圃場外の害虫を誘引してしまうのを防ぐことができる。したがって、従来の粘着シートを用いる方法では、圃場内に害虫がいない時には当該粘着シートを撤去する必要があったが、本実施形態に係る害虫捕獲装置５０では、光源部４を消灯して水盤１内の充填物を排出する作業のみで足りる。
【００６４】
（害虫捕獲方法）
以下には、害虫捕獲装置５０による害虫捕獲方法について、図３〜図５に沿って説明する。図３〜図５は、害虫捕獲方法の流れを示すフロー図である。
【００６５】
まず、制御装置１７の時間管理部３１が現在の時刻の情報を取得する（ステップＳ１；以下、Ｓ１と略記する）。制御装置１７では、時間管理部３１が取得した時刻が第１の所定の時刻、あるいは第１の所定の時刻よりも遅い第２の所定の時刻であるか否かを判定する（Ｓ２）。いずれの所定の時刻でもない場合は（Ｓ２，ＮＯ）、Ｓ１に戻って第１の所定の時刻あるいは第２の所定の時刻になるまで待機する。
【００６６】
一方、現在の時刻が第１の所定の時刻あるいは第２の所定の時刻であった場合には（Ｓ２，ＹＥＳ）、図４および図５のＳ３以降の処理に進む。以下では、第１の所定の時刻から第２の所定の時刻までの間を昼間とし、第２の所定の時刻から次の日の第１の所定の時刻までの間を夜間として説明する。なお、第１の所定の時間および第２の所定の時間には特に限定はなく、使用者が任意に決定することが可能である。例えば、制御装置１７に季節ごとの日の入り時間および日の出時間を記憶させ、日の出時間を第１の所定の時間とし、日の入り時間を第２の所定の時間としてもよい。
【００６７】
現在の時刻が第１の所定時刻であると、制御装置１７は電磁弁１３を開けて水盤１内の充填物（具体的には混合液２５）を廃棄する（Ｓ３）。そして、水盤１内の水位が所定の位置まで下がる（すなわち、水盤１が空になる）と、水位センサ１６がオンになる（Ｓ４）。水位センサ１６がオンになった情報が制御装置１７に送られると、制御装置１７は電磁弁１３を閉じる（Ｓ５）。
【００６８】
その後、制御装置１７は電磁弁３を開けて、注入用配管２から新しい溶液を水盤１内に注入させる（Ｓ６）。それと同時に、制御装置１７は電磁弁７を開けて、界面活性剤用タンク６内の界面活性剤を注入用配管２から水盤１内に注入させる（Ｓ７）。この際、制御装置１７は、時間管理部３１が取得した時刻の情報に基づいて、電磁弁７を開けてから（すなわち、界面活性剤を注入し始めてから）一定時間が経過したか否かを判定する（Ｓ８）。電磁弁７を開けてから一定時間が経過していない場合は（Ｓ８，ＮＯ）、一定時間が経過するまで電磁弁７を開けたままにする。一方、電磁弁７を開けてから一定時間が経過した場合は（Ｓ８，ＹＥＳ）、電磁弁７を閉じて界面活性剤の注入を停止する（Ｓ９）。このようにして、水盤１内に混合液２５が注入される。
【００６９】
続いて、制御装置１７は蛍光材料Ａまたは蛍光材料Ｂを水盤１の混合液２５中に注入する。以下では、蛍光材料Ａを水盤１内に注入する場合を例に挙げて説明する。制御装置１７は、電磁弁９を開けて、蛍光材料Ａ用タンク８内の蛍光材料Ａを注入用配管２から水盤１内の混合液２５中に注入させる（Ｓ１０）。この際、制御装置１７は、時間管理部３１が取得した時刻の情報に基づいて、電磁弁９を開けてから（すなわち、蛍光材料Ａを注入し始めてから）一定時間が経過したか否かを判定する（Ｓ１１）。電磁弁９を開けてから一定時間が経過していない場合は（Ｓ１１，ＮＯ）、一定時間が経過するまで電磁弁９を開けたままにする。一方、電磁弁９を開けてから一定時間が経過した場合は（Ｓ１１，ＹＥＳ）、電磁弁９を閉じて蛍光材料Ａの注入を停止する（Ｓ１２）。このようにして、水盤１の混合液中に蛍光材料Ａが注入される。
【００７０】
その後、水盤１内の水位が所定の位置に達する（すなわち、水盤１が満杯になる）と、水位センサ１５がオンになる（Ｓ１３）。水位センサ１５がオンになった情報が制御装置１７に送られると、制御装置１７は電磁弁３を閉じる（Ｓ１４）。このようにして、蛍光材料Ａを添加した混合液２５で水盤１内が充填される。なお、水盤１に充填し終えた後は、Ｓ１に戻り、第２の所定の時刻になるまで待機する。この間、昼行性の害虫は水盤１から照射される黄色の誘引光３０に誘引されて、水盤１内の水中に飛び込んで捕殺されることになる。
【００７１】
現在の時刻が第２の所定の時刻になると、制御装置１７は電磁弁１３を開けて水盤１内の充填物（具体的には蛍光材料Ａを添加した混合液２５）を廃棄する（Ｓ１５）。そして、水盤１内の水位が所定の位置まで下がる（すなわち、水盤１が空になる）と、水位センサ１６がオンになる（Ｓ１６）。水位センサ１６がオンになった情報が制御装置１７に送られると、制御装置１７は電磁弁１３を閉じる（Ｓ１７）。
【００７２】
その後、制御装置１７は電磁弁３を開けて、注入用配管２から新しい溶液を水盤１内に注入させる（Ｓ１８）。それと同時に、制御装置１７は電磁弁７を開けて、界面活性剤用タンク６内の界面活性剤を注入用配管２から水盤１内に注入させる（Ｓ１９）。この際、制御装置１７は、時間管理部３１が取得した時刻の情報に基づいて、電磁弁７を開けてから（すなわち、界面活性剤を注入し始めてから）一定時間が経過したか否かを判定する（Ｓ２０）。電磁弁７を開けてから一定時間が経過していない場合は（Ｓ２０，ＮＯ）、一定時間が経過するまで電磁弁７を開けたままにする。一方、電磁弁７を開けてから一定時間が経過した場合は（Ｓ２０，ＹＥＳ）、電磁弁７を閉じて界面活性剤の注入を停止する（Ｓ２１）。このようにして、水盤１内に混合液２５が注入される。
【００７３】
その後、水盤１内の水位が所定の位置に達する（すなわち、水盤１が満杯になる）と、水位センサ１５がオンになる（Ｓ２２）。水位センサ１５がオンになった情報が制御装置１７に送られると、制御装置１７は電磁弁３を閉じる（Ｓ２３）。このようにして、混合液２５で水盤１内が充填される。なお、水盤１に充填し終えた後は、Ｓ１に戻り、次の日の第１の所定の時刻になるまで待機する。この間、夜行性の害虫は水盤１から照射される紫外光である誘引光３０に誘引されて、水盤１内の水中に飛び込んで捕殺されることになる。
【００７４】
以上の一連の動作を繰り返し行うことによって、昼間には可視光域の光を放射し、夜間には紫外光域の光を放射することができ、昼行性の害虫も夜行性の害虫も同じ害虫捕獲装置５０で捕獲することが可能となる。なお、界面活性剤および蛍光材料Ａ（および蛍光材料Ｂ）を水盤１内に注入する一定時間としては、それぞれの注入速度に鑑みて、それぞれの水盤１内の濃度が所望の濃度になる時間を設定すればよい。
【００７５】
なお、以上では第１の所定の時刻になった時点、すなわち夜から朝に変化する時点で水盤１内の充填物をすべて廃棄しているが、必ずしも廃棄しなくてもよい。夜間では、水盤１内には混合液２５のみが充填されているので、第１の所定の時刻になった時点で蛍光材料Ａおよび蛍光材料Ｂのいずれかのみを水盤１内に注入してもよい。
【００７６】
〔第２の実施形態〕
（害虫捕獲装置５１の構成）
本発明の第２の実施形態に係る害虫捕獲装置は、第１の実施形態に係る害虫捕獲装置５０と同様に、水等の液体物を張った水盤を利用して利用して害虫を誘引し、水盤内に落下させて死滅させて害虫を防除する装置である。本実施形態に係る害虫捕獲装置の具体的な構成について、図６を参照して説明する。図６は、本実施形態に係る害虫捕獲装置５１の要部構成を示す図である。以下では、第１の実施形態に係る害虫捕獲装置５０と異なる点のみについて、説明する。
【００７７】
図６に示すように、害虫捕獲装置５１は、水盤１、注入用配管２、光源部４、反射部５、界面活性剤用タンク６、蛍光材料Ａ用タンク８、蛍光材料Ｂ用タンク１０、排出用配管１２、制御装置１７、顔料用タンク２０、および照度センサ２２を有している。顔料用タンク２０は注入用配管２に電磁弁２１を介して接続されている。電磁弁２１が開閉することによって、注入用配管２への顔料用タンク２０の内容物の注入および注入量の調整を行っている。
【００７８】
照度センサ２２は、周囲の照度を感知するセンサである。照度センサ２２は制御装置１７に接続されており、照度センサ２２が感知した情報は制御装置１７に送られる。第１の実施形態と同じように、上記の電磁弁３，７，９，１１，１３，２１、水位センサ１５，１６、および光源部４も制御装置１７に接続されている。制御装置１７は、水位センサ１５，１６が感知した情報、照度センサ２２が感知した情報、および時間管理部３１が取得した時刻の情報に基づいて、電磁弁３，７，９，１１，１３，２１の開閉を制御している。
【００７９】
（昼間の充填物）
水盤１の内部に注入される充填物は、照度（昼間および夜間）に応じて異なる。例えば、照度センサ２２が感知する照度の数値範囲を３段階（高値，中間値，低値）に分け、照度が高値および中間値の時を昼間とし、照度が低値の時を夜間とする。具体的には、照度センサ２２は定期的（例えば、４時間置き等）に照度を感知しており、照度が高値（例えば、３０ｌｘ以上）の時には晴天を想定し、中間値（例えば、１０ｌｘ以上３０ｌｘ未満）の時には曇天や雨天を想定し、低値（例えば、１０ｌｘ未満）の時には夜を想定している。このため、照度が高値および中間値の時が昼間であると判断し、低値の時が夜間であると判断している。また、現在の照度と前回の照度とを比較した場合、現在の照度が高値または中間値であり、前回の照度が低値であると、夜から朝へ変化する第１の時点として判断し、現在の照度が低値であり、前回の照度が高値または中間値であると、昼から夜に変化する第２の時点として判断する。さらに、現在の照度が高値であり、前回の照度が低値であると、夜から晴天の朝へ変化する第３の時点として判断し、現在の照度が中間値であり、前回の照度が低値であると、夜から曇天や雨天の朝へ変化する第４の時点として判断する。また、現在の照度が中間値であり、前回の照度が高値であると、昼間において晴天から曇天や雨天へ変化する第５の時点として判断し、現在の照度が高値であり、前回の照度が中間値であると、昼間において曇天や雨天から晴天へ変化する第６の時点として判断する。なお、照度センサ２２が感知する照度の数値範囲には特に限定はなく、状況に応じた数値範囲を定めればよい。例えば、光源部４の発光輝度との兼ね合いで定めてもよいし、圃場の立地条件（例えば、周囲の街灯の有無等）に応じて定めてもよい。
【００８０】
本実施形態に係る害虫捕獲装置５１では、昼から夜へ変化する時点（すなわち、前回の照度が高値または中間値であり、現在の照度が低値である場合）、および夜から朝へ変化する時点（すなわち、前回の照度が低値であり、現在の照度が高値または中間値である場合）で水盤１内の充填物を一度廃棄し、昼間および夜間に応じた新たな充填物を水盤１内に注入するように制御装置１７は制御している。さらに害虫捕獲装置５１では、昼間において、現在の照度が高値であり、前回の照度が中間値である場合、または現在の照度が中間値であり、前回の照度が高値である場合でも水盤１内の充填物を高値および中間値の照度に応じた新たな充填物を水盤１内に注入するように制御装置１７は制御している。すなわち、本実施形態に係る害虫捕獲装置５１では、昼間および夜間だけでなく、昼間の晴天時および曇天時や雨天時にも応じて水盤１内の充填物を入れ替えている。
【００８１】
具体的には、昼間および夜間に応じた充填物が注入されている水盤１を図７に示す。図７の（ａ）は、昼間の晴天時の水盤１の内部を示しており、（ｂ）および（ｃ）は、昼間の曇天時や雨天時の水盤１の内部を示しており、（ｄ）は、夜間の水盤１の内部を示している。
【００８２】
昼間の晴天時には、図７の（ａ）に示すように、注入用配管２からは外部から注入された溶液と、界面活性剤との混合液２５が水盤１内に注入され、さらにそこに顔料が顔料用タンク２０から注入される。顔料によって水盤１内の混合液２５は着色される。顔料は、アブラムシ類、コナジラミ類、およびアザミウム類等の昼行性の害虫が好む色の顔料を用いればよく、例えば黄色または青色の顔料である。昼間の晴天時には、光源部４は消灯するように制御装置１７によって制御されており、太陽光に含まれる紫外光１９が水盤１内に入射して、着色された混合液２５の水面で反射されて黄色または青色の誘引光３０として水盤１内全体から放射される。この水盤１内全体から放射された誘引光３０に誘引された害虫は、水盤１内の水中に飛び込み溺死する。このようにして、害虫を誘引光３０によって誘引し、捕殺する。昼間の晴天時は、太陽光の照射が強いため、当該太陽光に含まれる紫外光１９を誘引光３０として利用する。
【００８３】
ところで、水盤１内に注入する顔料は、蛍光材料Ａおよび蛍光材料Ｂと同様に、捕獲する害虫に応じて使い分ければよい。具体的には、黄色を好む昼行性の害虫は、コナジラミ類、アザミウマ類、ハエ類、ウンカ類、アブラムシ類、およびコナガ類等である。また、青色を好む昼行性の害虫は、アザミウマ類等であり、特にミナミキイロアザミウマおよびヒラズハナアザミウマは、黄色よりも青色に誘引される。
【００８４】
昼間の曇天時や雨天時には、図７の（ｂ）および（ｃ）に示すように、注入用配管２からは外部から注入された溶液と、界面活性剤用タンク６から注入された界面活性剤との混合液２５が水盤１内に注入され、さらにそこに蛍光材料Ａまたは蛍光材料Ｂがそれぞれ蛍光材料Ａ用タンク８または蛍光材料Ｂ用タンク１０から注入される。本図では、蛍光材料Ａを部材番号２３で示しており、蛍光材料Ｂを部材番号２４で示している。曇天時および雨天時の害虫の捕獲方法は、第１の実施形態に係る害虫捕獲装置５０における昼間の害虫の捕獲方法と同様である。光源部４から水盤１内で発せられた紫外光１８は水中を伝播し、蛍光材料Ａまたは蛍光材料Ｂを励起して黄色光または青色光（誘引光３０）が発せられる。励起して発せられた誘引光３０は、水面から直接放射されたり、反射部５によって反射されて水面から放射されたりすることによって、水盤１内全体から放射される。この水盤１内全体から放射された誘引光３０に誘引された害虫は、水盤１内の水中に飛び込み溺死する。このようにして、害虫を誘引光３０によって誘引し、捕殺する。昼間の曇天時や雨天時は、太陽光の照射が弱いため、光源部４からの紫外光１８を利用して発せられた誘引光３０を利用する。
【００８５】
（夜間の充填物）
昼から夜に移る際には、水盤１の電磁弁１３を開けて水盤１内の充填物を廃棄して水盤１を空にする。この際、ストレーナ部１４によって害虫の死骸や落ち葉等のゴミ類を回収する。そして、夜間には、図７の（ｄ）に示すように、空にした水盤１内に、注入用配管２からは外部から注入された溶液と、界面活性剤用タンク６から注入された界面活性剤との混合液２５が水盤１内に注入される。夜間の害虫の捕獲方法は、第１の実施形態に係る害虫捕獲装置５０における夜間の害虫の捕獲方法と同様である。光源部４から水盤１内で発せられた紫外光１８は水中を伝播し、水面から直接放射されたり、反射部５によって反射されて水面から放射されたりすることによって、水盤１内全体から誘引光３０として放射される。この水盤１内全体から放射された誘引光３０に誘引された害虫は、水盤１内の水中に飛び込み溺死する。このようにして、害虫を誘引光３０によって誘引し、捕殺する。
【００８６】
このように、水盤１内の充填物を昼間の晴天時、曇天時や雨天時、および夜間に応じて入れ替えることによって、昼間には可視光域の光を放射し、夜間には紫外光域の光を放射することができる。これにより、昼行性の害虫も夜行性の害虫も同じ害虫捕獲装置５１で捕獲することが可能となる。特に、晴天時と曇天時や雨天時とでも水盤１内の充填物を入れ替えており、晴天時には安価である顔料を用い、光源部４を消灯しているため、害虫捕獲装置５１のランニングコストを抑えることができる。
【００８７】
夜から朝に移る際には、再び水盤１の電磁弁１３を開けて水盤１内の充填物を廃棄して水盤１を空にし、顔料および蛍光材料Ａおよび蛍光材料Ｂのいずれかを混合液２５と共に水盤１に注入する。なお、以上では照度センサ２２が感知した照度に応じて水盤１内の充填物を入れ替えているが、この場合は照度が変化した度に水盤１内の充填物を入れ替える必要があり、充填物の入れ替えが頻繁に生じる可能性もある。この場合、顔料および蛍光材料の消費が進むため、却って害虫捕獲装置５１のランニングコストが高くなる虞がある。そこで、一定時間の間に照度センサ２２が感知した照度の平均照度を算出する算出部（図示せず）を制御装置１７に設け、算出部が算出した平均照度に応じて水盤１内の充填物を入れ替えてもよい。これによって、数時間ごと（例えば、４時間に１回）に平均照度を算出するように構成することが可能となる。
【００８８】
なお、以上では害虫捕獲装置５１が１つの顔料用タンク２０を備えている構成を示したが、必ずしもこれに限定されるわけではない。例えば、複数の顔料用タンクを設け、蛍光材料Ａおよび蛍光材料Ｂのように、捕獲する害虫に応じて顔料を使い分ければよい。これによって、害虫が誘引される光の色が異なっていても、それぞれの害虫に応じた対応が可能となる。
【００８９】
なお、圃場内に害虫がいない時には制御装置１７が光源部４を消灯し、水盤１内の充填物を排出することによって、水盤１からの誘引光３０が圃場外の害虫を誘引してしまうのを防ぐことができる。したがって、従来の粘着シートを用いる方法では、圃場内に害虫がいない時には当該粘着シートを撤去する必要があったが、本実施形態に係る害虫捕獲装置５１では、光源部４を消灯して水盤１内の充填物を排出する作業のみで足りる。
【００９０】
（害虫捕獲方法）
以下には、害虫捕獲装置５１による害虫捕獲方法について、図８〜図１１に沿って説明する。図８〜図１１は、害虫捕獲方法の流れを示すフロー図である。
【００９１】
まず、制御装置１７が照度センサ２２から当該照度センサ２２が感知した照度の照度データを取得する（Ｓ３１）。そして、照度データを取得し始めてから一定時間が経過したか否かを判定する（Ｓ３２）。照度データを取得し始めてから一定時間が経過していない場合は（Ｓ３２，ＮＯ）、Ｓ３１に戻って一定時間が経過するまで照度センサ２２から照度データを取得する。一方、照度データを取得し始めてから一定時間が経過した場合は（Ｓ３２，ＹＥＳ）、一定時間の間に取得したすべての照度データを算出部に送り、平均照度を算出させる（Ｓ３３）。そして、算出部が算出した現在の平均照度が、算出部が算出した前回の平均照度と比較して変化があったか否かを判定する（Ｓ３４）。算出した現在の平均照度と前回の平均照度との間に変化がない場合は（Ｓ３４，ＮＯ）、Ｓ３１に戻って再び一定時間が経過するまで照度センサ２２から照度データを取得する。
【００９２】
［低値→高値，中間値→高値］
一方、算出した現在の平均照度と前回の平均照度との間に変化があった場合には（Ｓ３４，ＹＥＳ）、図９〜図１１のＳ３５以降の処理に進む。まず、現在の平均照度が高値であり前回の平均照度が低値であるか、現在の平均照度が高値であり前回の平均照度が中間値である場合を説明する。すなわち、夜から朝の晴天へ変化した場合か、昼間において曇天や雨天から晴天へ変化した場合である。この場合、制御装置１７は電磁弁１３を開けて水盤１内の充填物（具体的には、前者の場合は混合液２５、後者の場合は蛍光材料Ａまたは蛍光材料Ｂを添加した混合液２５）を廃棄する（Ｓ３５）。そして、水盤１内の水位が所定の位置まで下がる（すなわち、水盤１が空になる）と、水位センサ１６がオンになる（Ｓ３６）。水位センサ１６がオンになった情報が制御装置１７に送られると、制御装置１７は電磁弁１３を閉じる（Ｓ３７）。
【００９３】
その後、制御装置１７は電磁弁３を開けて、注入用配管２から新しい溶液を水盤１内に注入させる（Ｓ３８）。それと同時に、制御装置１７は電磁弁７を開けて、界面活性剤用タンク６内の界面活性剤を注入用配管２から水盤１内に注入させる（Ｓ３９）。この際、制御装置１７は、時間管理部が取得した時刻の情報に基づいて、電磁弁７を開けてから（すなわち、界面活性剤を注入し始めてから）一定時間が経過したか否かを判定する（Ｓ４０）。電磁弁７を開けてから一定時間が経過していない場合は（Ｓ４０，ＮＯ）、一定時間が経過するまで電磁弁７を開けたままにする。一方、電磁弁７を開けてから一定時間が経過した場合は（Ｓ４０，ＹＥＳ）、電磁弁７を閉じて界面活性剤の注入を停止する（Ｓ４１）。このようにして、水盤１内に混合液２５が注入される。
【００９４】
続いて、制御装置１７は、電磁弁２１を開けて、顔料用タンク２０内の顔料を注入用配管２から水盤１内の混合液２５中に注入させる（Ｓ４２）。この際、制御装置１７は、時間管理部が取得した時刻の情報に基づいて、電磁弁２１を開けてから（すなわち、顔料を注入し始めてから）一定時間が経過したか否かを判定する（Ｓ４３）。電磁弁２１を開けてから一定時間が経過していない場合は（Ｓ４３，ＮＯ）、一定時間が経過するまで電磁弁２１を開けたままにする。一方、電磁弁２１を開けてから一定時間が経過した場合は（Ｓ４３，ＹＥＳ）、電磁弁２１を閉じて顔料の注入を停止する（Ｓ４４）。このようにして、水盤１の混合液中に顔料が注入される。
【００９５】
その後、水盤１内の水位が所定の位置に達する（すなわち、水盤１が満杯になる）と、水位センサ１５がオンになる（Ｓ４５）。水位センサ１５がオンになった情報が制御装置１７に送られると、制御装置１７は電磁弁３を閉じる（Ｓ４６）。このようにして、顔料を添加した混合液２５で水盤１内が充填される。最後に、制御装置１７は光源部４を消灯する（Ｓ４７）。なお、水盤１に充填し終え、光源部４を消灯し終えた後は、Ｓ３１に戻り、再び一定時間が経過するまで照度データを取得する。この間、昼行性の害虫は太陽光に含まれる紫外光１９を利用して水盤１から照射される黄色の誘引光３０に誘引されて、水盤１内の水中に飛び込んで捕殺されることになる。
【００９６】
なお、以上では前回の平均照度が低値であり現在の平均照度が高値である場合、すなわち夜から朝の晴天へ変化した時点で水盤１内の充填物をすべて廃棄しているが、必ずしも廃棄しなくてもよい。夜間では、水盤１内には混合液２５のみが充填されているので、平均照度が高値に変化した時点で顔料のみを水盤１内に注入してもよい。この場合は、Ｓ３５〜Ｓ４１を省略できる。
【００９７】
［高値→中間値，低値→中間値］
次に、現在の平均照度が中間値であり前回の平均照度が高値であるか、現在の平均照度が中間値であり前回の平均照度が低値である場合を説明する。すなわち、昼間において晴天から曇天や雨天へと変化した場合か、夜から朝の曇天や雨天へと変化した場合である。この場合、制御装置１７は電磁弁１３を開けて水盤１内の充填物（具体的には、前者の場合は顔料を添加した混合液２５、後者の場合は混合液２５）を廃棄する（Ｓ４８）。そして、水盤１内の水位が所定の位置まで下がる（すなわち、水盤１が空になる）と、水位センサ１６がオンになる（Ｓ４９）。水位センサ１６がオンになった情報が制御装置１７に送られると、制御装置１７は電磁弁１３を閉じる（Ｓ５０）。
【００９８】
その後、制御装置１７は電磁弁３を開けて、注入用配管２から新しい水を水盤１内に注入させる（Ｓ５１）。それと同時に、制御装置１７は電磁弁７を開けて、界面活性剤用タンク６内の界面活性剤を注入用配管２から水盤１内に注入させる（Ｓ５２）。この際、制御装置１７は、時間管理部が取得した時刻の情報に基づいて、電磁弁７を開けてから（すなわち、界面活性剤を注入し始めてから）一定時間が経過したか否かを判定する（Ｓ５３）。電磁弁７を開けてから一定時間が経過していない場合は（Ｓ５３，ＮＯ）、一定時間が経過するまで電磁弁７を開けたままにする。一方、電磁弁７を開けてから一定時間が経過した場合は（Ｓ５３，ＹＥＳ）、電磁弁７を閉じて界面活性剤の注入を停止する（Ｓ５４）。このようにして、水盤１内に混合液２５が注入される。
【００９９】
続いて、制御装置１７は蛍光材料Ａまたは蛍光材料Ｂを水盤１の混合液２５中に注入する。以下では、蛍光材料Ａを水盤１内に注入する場合を例に挙げて説明する。制御装置１７は、電磁弁９を開けて、蛍光材料Ａ用タンク８内の蛍光材料Ａを注入用配管２から水盤１内の混合液２５中に注入させる（Ｓ５５）。この際、制御装置１７は、時間管理部が取得した時刻の情報に基づいて、電磁弁９を開けてから（すなわち、蛍光材料Ａを注入し始めてから）一定時間が経過したか否かを判定する（Ｓ５６）。電磁弁９を開けてから一定時間が経過していない場合は（Ｓ５６，ＮＯ）、一定時間が経過するまで電磁弁９を開けたままにする。一方、電磁弁９を開けてから一定時間が経過した場合は（Ｓ５６，ＹＥＳ）、電磁弁９を閉じて蛍光材料Ａの注入を停止する（Ｓ５７）。このようにして、水盤１の混合液中に蛍光材料Ａが注入される。
【０１００】
その後、水盤１内の水位が所定の位置に達する（すなわち、水盤１が満杯になる）と、水位センサ１５がオンになる（Ｓ５８）。水位センサ１５がオンになった情報が制御装置１７に送られると、制御装置１７は電磁弁３を閉じる（Ｓ５９）。このようにして、蛍光材料Ａを添加した混合液２５で水盤１内が充填される。最後に、制御装置１７は光源部４を点灯する（Ｓ６０）。なお、水盤１に充填し終え、光源部４を点灯し終えた後は、Ｓ３１に戻り、再び一定時間が経過するまで照度データを取得する。この間、昼行性の害虫は水盤１から照射される黄色の誘引光３０に誘引されて、水盤１内の水中に飛び込んで捕殺されることになる。
【０１０１】
なお、以上では前回の平均照度が低値であり現在の平均照度が中間値である場合、すなわち夜から朝の曇天や雨天に変化した時点で水盤１内の充填物をすべて廃棄しているが、必ずしも廃棄しなくてもよい。夜間では、水盤１内には混合液２５のみが充填されているので、平均照度が中間値に変化した時点で蛍光材料Ａおよび蛍光材料Ｂのいずれかのみを水盤１内に注入してもよい。この場合は、Ｓ４８〜Ｓ５４を省略できる。
【０１０２】
［高値→低値，中間値→低値］
最後に、現在の平均照度が低値であり前回の平均照度が高値であるか、現在の平均照度が低値であり前回の平均照度が中間値である場合を説明する。すなわち、昼の晴天から夜へと変化した場合か、昼の曇天や雨天から夜へと変化した場合である。この場合、制御装置１７は電磁弁１３を開けて水盤１内の充填物（具体的には、前者の場合は顔料を添加した混合液２５、後者の場合は蛍光材料Ａまたは蛍光材料Ｂを添加した混合液２５）を廃棄する（Ｓ６１）。そして、水盤１内の水位が所定の位置まで下がる（すなわち、水盤１が空になる）と、水位センサ１６がオンになる（Ｓ６２）。水位センサ１６がオンになった情報が制御装置１７に送られると、制御装置１７は電磁弁１３を閉じる（Ｓ６３）。
【０１０３】
その後、制御装置１７は電磁弁３を開けて、注入用配管２から新しい溶液を水盤１内に注入させる（Ｓ６４）。それと同時に、制御装置１７は電磁弁７を開けて、界面活性剤用タンク６内の界面活性剤を注入用配管２から水盤１内に注入させる（Ｓ６５）。この際、制御装置１７は、時間管理部が取得した時刻の情報に基づいて、電磁弁７を開けてから（すなわち、界面活性剤を注入し始めてから）一定時間が経過したか否かを判定する（Ｓ６６）。電磁弁７を開けてから一定時間が経過していない場合は（Ｓ６６，ＮＯ）、一定時間が経過するまで電磁弁７を開けたままにする。一方、電磁弁７を開けてから一定時間が経過した場合は（Ｓ６６，ＹＥＳ）、電磁弁７を閉じて界面活性剤の注入を停止する（Ｓ６７）。このようにして、水盤１内に混合液２５が注入される。
【０１０４】
その後、水盤１内の水位が所定の位置に達する（すなわち、水盤１が満杯になる）と、水位センサ１５がオンになる（Ｓ６８）。水位センサ１５がオンになった情報が制御装置１７に送られると、制御装置１７は電磁弁３を閉じる（Ｓ６９）。このようにして、混合液２５で水盤１内が充填される。最後に、制御装置１７は光源部４を点灯する（Ｓ７０）。なお、水盤１に充填し終え、光源部４を点灯し終えた後は、Ｓ３１に戻り、再び一定時間が経過するまで照度データを取得する。この間、夜行性の害虫は水盤１から照射される紫外光である誘引光３０に誘引されて、水盤１内の水中に飛び込んで捕殺されることになる。
【０１０５】
以上の一連の動作を繰り返し行うことによって、昼間には可視光域の光を放射し、夜間には紫外光域の光を放射することができ、昼行性の害虫も夜行性の害虫も同じ害虫捕獲装置５１で捕獲することが可能となる。
【０１０６】
本発明は、上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０７】
本発明は、野菜または花卉等の圃場において、昼夜に渡って害虫の防除が必要な場合に好適に用いられ得る。
【符号の説明】
【０１０８】
１  水盤
２  注入用配管
３  電磁弁
４  光源部
５  反射部
６  界面活性剤用タンク
７  電磁弁
８  蛍光材料Ａ用タンク
９  電磁弁
１０  蛍光材料Ｂ用タンク
１１  電磁弁
１２  排出用配管
１３  電磁弁
１４  ストレーナ部
１５  水位センサ
１６  水位センサ
１７  制御装置
１８  紫外光
１９  太陽光に含まれる紫外光
２０  顔料用タンク
２１  電磁弁
２２  照度センサ
２５  混合液
【図１】
2013247942.tif 000003
【図２】
2013247942.tif 000004
【図３】
2013247942.tif 000005
【図４】
2013247942.tif 000006
【図５】
2013247942.tif 000007
【図６】
2013247942.tif 000008
【図７】
2013247942.tif 000009
【図８】
2013247942.tif 000010
【図９】
2013247942.tif 000011
【図１０】
2013247942.tif 000012
【図１１】
2013247942.tif 000013